(57)【要約】【課題】  ケーブルの芯線を挿入するだけで接続でき、接続信頼性の高いソケット端子構造の提供を目的とする。【解決手段】ケーブルの芯線を挿入接続するためのソケット端子構造であって、前記ソケット端子は芯線と電気接続するためのターミナル端子と、弾性端子とを備え、前記ターミナル端子は芯線の側部に接触するための接触部と当該接触部の幅方向両側から立設した規制部を有し、前記弾性端子は前記ターミナル端子の接触部に対向した芯線の抜止部と押圧部とを有することを特徴とする。【選択図】  図１
2016091970.tif 000002
【特許請求の範囲】
【請求項１】
ケーブルの芯線を挿入接続するためのソケット端子構造であって、前記ソケット端子は芯線と電気接続するためのターミナル端子と、弾性端子とを備え、
前記ターミナル端子は芯線の側部に接触するための接触部と当該接触部の幅方向両側から立設した規制部を有し、
前記弾性端子は前記ターミナル端子の接触部に対向した芯線の抜止部と押圧部とを有することを特徴とするソケット端子構造。
【請求項２】
前記ターミナル端子と弾性端子とは別部材で製作してあり、
前記弾性端子はソケット端子を装着するハウジングに係止するハウジング係止部とターミナル端子に係止するターミナル係止部とを有することを特徴とする請求項１記載のソケット端子構造。
【発明の詳細な説明】
【技術分野】
【０００１】
本発明は、ケーブルの芯線を接続するためのソケット端子構造に関する。
【背景技術】
【０００２】
例えば、ソーラーシステム等のパワーコンディショナー等の電源ケーブルの接続においてはケーブルの芯線に丸形端子を圧着した後に、端子台にネジで固定する方法が採用されている。
これでは現場で結線を行う場合に多くの工数が必要であり、ネジ締めの不完全によるトラブルが発生しやすい問題があった。
特許文献１には、ケーブルの芯線を挿入することで挟持部とくさび部との２ヶ所にて接続される端子台を開示する。
しかし、同公報に開示するケーブルの接続構造では単に挟持部とくさび部との弾性復元力にて接続されるものであるために、例えばケーブルの芯線が複数の単線のより線である場合等において接触安定性に欠ける問題があった。
【先行技術文献】
【特許文献】
【０００３】
【特許文献１】特開平９−２４５８６２号
【発明の概要】
【発明が解決しようとする課題】
【０００４】
本発明はケーブルの芯線を挿入するだけで接続でき、接続信頼性の高いソケット端子構造の提供を目的とする。
【課題を解決するための手段】
【０００５】
本発明に係るソケット端子構造は、ケーブルの芯線を挿入接続するためのソケット端子構造であって、前記ソケット端子は芯線と電気接続するためのターミナル端子と、弾性端子とを備え、前記ターミナル端子は芯線の側部に接触するための接触部と当該接触部の幅方向両側から立設した規制部を有し、前記弾性端子は前記ターミナル端子の接触部に対向した芯線の抜止部と押圧部とを有することを特徴とする。
ここで、ターミナル端子と弾性端子とは一体的に形成してもよい。
なお、ターミナル端子を銅板等の電導性の高い素材を用いて製作した場合に、弾性端子に要求される充分な弾性力が得られない場合もある。
本発明においては、前記ターミナル端子と弾性端子とは別部材で製作してあり、前記弾性端子はソケット端子を装着するハウジングに係止するハウジング係止部とターミナル端子に係止するターミナル係止部とを有するように製作することも可能である。
【発明の効果】
【０００６】
本発明においては、ケーブルの芯線をターミナル端子に対して押圧する弾性端子からなる押圧部と抜止部とを設けるとともにターミナル端子の接触部の幅方向両側から立設した規制部を有するので、芯線がこの接触部と両側の規制部で形成される凹部に納まるので芯線がずれたり、例えば芯線がより線である場合に芯線が広がるのを防止し、接続安定性に優れる。
【図面の簡単な説明】
【０００７】
【図１】（ａ）はソケット端子部分の構造を示し、（ｂ）はソケット端子にケーブルの芯線を挿入した場合の接続構造を示す。（ｃ）はハウジングに装着した状態のソケット端子構造を示し、（ｄ）はケーブルの芯線を挿入接続した状態を示す。
【図２】（ａ）は弾性端子をハウジングに装着する状態を示し、（ｂ）はハウジングにターミナル端子を装着する状態を示し、（ｃ）は装着したハウジング内のソケット端子構造を示す。
【図３】（ａ），（ｂ）はターミナル端子の形状例を示し、（ｃ），（ｄ）は弾性端子の形状例を示す。
【図４】（ａ），（ｂ）はターミナル端子に弾性端子を組み付けた状態を示す。
【図５】（ａ）は端子台ハウジングにソケット端子を装着した状態の断面図を示し、（ｂ）はその外観図を示す。
【発明を実施するための形態】
【０００８】
本発明に係るソケット端子の構造例を以下図面に基づいて説明するが、本発明はこれに限定されない。
【０００９】
図１（ａ），（ｂ）にソケット端子部分のみを示し、（ｃ），（ｄ）にハウジングにソケット端子を組み込んだ状態を示す。
図２に、その組立手順を示す。
図３は、ソケット端子を構成するターミナル端子と弾性端子の部品形状例を示し、図４にその組立図を示す。
【００１０】
本発明においてソケット端子１０は、ターミナル端子１１と弾性端子１２を一体的に製作してもよいが、本実施例は別部材として製作した例を示す。
ターミナル端子１１は、挿入されるケーブルの芯線の側部に接触し、芯線を保持するための接触部１１ａの後部に電気回路基板や他の電気機器と接続するための接続部１１ｄを有する。
本実施例では、接触部１１ａの後部から略直角に折り曲げ延在させた接続部１１ｄの例になっているが、この形状に限定されない。
接触部１１ａの幅方向両側から折り曲げて立設した一対の規制部１１ｂ，１１ｃを有し、この一対の規制部１１ｂ，１１ｃと接触部１１ａとで芯線２を接続する凹部形状になっている。
これにより後述する弾性端子１２にて芯線が接触部１１ａの対向側部から押圧された際に両側の規制部１１ｂ，１１ｃが芯線の広がりを抑え、接続安定性に優れる。
本実施例ではターミナル端子１１の接続部１１ｄには一部を切り欠いてターミナル係止部１２ｅを形成してある。
【００１１】
弾性端子１２は、弾性材を用いてプレス成形等にて製作してある。
プレート状の基部１２ａからターミナル端子１１の接触部１１ａ側に向けて折り曲げ成形した抜止部１２ｂと押圧部１２ｃを形成してある。
抜止部１２ｂは先端部が斜め後方を向いており、芯線２が抜ける方向に移動しようとすると、抜止部１２ｂの先端部が芯線２の側部にくい込むようになり抜止めとして作用する。
本実施例では先端部に断面三角錐状の誘導凹部１１２ａを形成し、芯線が挿入されやすくなっている。
押圧部１２ｃは接点部がターミナル端子１１側の規制部１１ｂ，１１ｃの間に位置し、
先端部が基部１２ａ側に折り返し、芯線２の側部に曲面で接触するようになっている。
本実施例では基部１２ａの後方から記述するハウジング２０の内側の側面に弾性係止するハウジング係止部１２ｄと、ターミナル端子１１側に切り欠いて設けた被係止部１１ｅに弾性係止するターミナル係止部１２ｅを有する。
【００１２】
端子台等のハウジング２０にソケット端子を組み込む手順を図２に示す。
図２（ａ）に示すようにハウジング２０にはケーブル１の挿入孔２１の後方側からターミナル端子１１と弾性端子１２を挿入するそれぞれ溝部を有する。
ハウジング２０の側面コーナー部に突条部２３ａを形成することで形成した対向する溝部２３ｂ，２３ｂに弾性端子１２の基部１２ａの両側端部が差し込まれ、ハウジング係止部１２ｄがハウジング２０に設けた被係止部２４ｂにランス係止する。
本実施例では、被係止部２４ｂの後方に誘導凹部２４ｃを設け、前方にハウジング係止部１２ｄが納まる凹部２４ａを形成した例になっている。
次に、図２（ｂ）に示すようにハウジング２０の内部の先に説明した溝部２３ｂに対向するコーナー位置に突条部２２ａを形成することで形成された溝部２２ｂにターミナル端子１１の接触部１１ａの両側端部を差し込むと、図２（ｃ）に示すように弾性端子１１のターミナル係止部１２ｅがターミナル端子側の被係止部１１ｅにランス係止し、ターミナル端子１２と弾性端子１１とが係合する。
ターミナル端子１１と弾性端子１２との係合状態を図４に示す。
【００１３】
図５に本発明に係るソケット端子構造を用いた端子台の例を示す。
ハウジング２０に複数のソケット端子が並数装着されており、抜止部１２ｂが見える開放窓２４，芯線の挿入確認ができる確認窓２５及びハウジング係止部の係止確認ができる係止確認窓２６を有する。
ケーブル１を取り外す場合には開放窓２４にドライバー等の工具の先を差し込み、抜止部１２ｂを開放することになる。
【符号の説明】
【００１４】
１        ケーブル
２        芯線
１０      ソケット端子
１１      ターミナル端子
１１ａ    接触部
１１ｂ    規制部
１１ｃ    規制部
１１ｄ    接続部
１１ｅ    被係止部
１２      弾性端子
１２ａ    基部
１２ｂ    抜止部
１２ｃ    押圧部
１２ｄ    ハウジング係止部
１２ｅ    ターミナル係止部
【図１】
2016091970.tif 000003
【図２】
2016091970.tif 000004
【図３】
2016091970.tif 000005
【図４】
2016091970.tif 000006
【図５】
2016091970.tif 000007